(57)【特許請求の範囲】
【請求項１】
環状のリム部と、リム部の下方に配設されたボウル部と、ボウル部に連通するトラップ排水路とを備え、リム部にボウル部へ差し向けられた第１洗浄水吐出口が形成され、ボウル部の底部にトラップ排水路へ差し向けられた第２洗浄水吐出口が形成され、トラップ排水路の堰部より上流域と堰部より下流域とが微小断面積のバイパス流路を介して連通していることを特徴とするサイホンジェット式水洗便器。
【請求項２】
トラップ排水路の屈曲部に堰壁が立設され、堰壁の頂部がトラップ排水路の堰部を形成し、堰壁に形成された小径穴がバイパス流路を形成することを特徴とする請求項１に記載のサイホンジェット式水洗便器。
【請求項３】
トラップ排水路の屈曲部に堰壁が立設され、堰壁の頂部がトラップ排水路の堰部を形成し、堰壁に形成されたスリットがバイパス流路を形成することを特徴とする請求項１に記載のサイホンジェット式水洗便器。
【請求項４】
トラップ排水路の屈曲部の頂部が堰部を形成し、一端がトラップ排水路の堰部より上流域に連通し、他端がトラップ排水路の堰部より下流域に連通する小径パイプがバイパス流路を形成することを特徴とする請求項１に記載のサイホンジェット式水洗便器。
【請求項５】
トラップ排水路の屈曲部の頂部が堰部を形成し、トラップ排水路の屈曲部に形成されたスリットがバイパス流路を形成することを特徴とする請求項１に記載のサイホンジェット式水洗便器。
【発明の詳細な説明】
【０００１】
【発明の属する技術分野】
本発明はサイホンジェット式水洗便器に関するものである。
【０００２】
【従来の技術】
本願の出願人は、特開平３−９０７４６号において、環状のリム部と、リム部の下方に配設されたボウル部と、ボウル部に連通するトラップ排水路とを備え、リム部にボウル部へ差し向けられた第１洗浄水吐出口が形成され、ボウル部の底部にトラップ排水路へ差し向けられた第２洗浄水吐出口が形成されたサイホンジェット式水洗便器であって、トラップ排水路の堰部より所定の高さだけ低い位置まで封水のための洗浄水を供給する洗浄水供給手段を備える便器を提案した。
上記サイホンジェット式水洗便器においては、第１洗浄水吐出口からボウル部へ洗浄水を吐出させてボウル部の壁面を洗浄すると共に封水の水位をトラップ排水路の堰部まで上昇させ、次いで第２洗浄水吐出口からトラップ排水路へ向けて洗浄水を吐出させてトラップ排水路を満杯にさせ、サイホン作用を引き起こして封水と汚物とをボウル部から排出し、次いで第１洗浄水吐出口からボウル部へ洗浄水を吐出させて封水を形成する。
ボウル部から汚物を確実に排出するためには、サイホン作用が所定時間継続する必要がある。サイホン作用を所定時間継続させるために、第２洗浄水吐出口からの洗浄水吐出の開始時に、多量の封水が在ることが望ましい。他方、排便時に多量の封水が在ると、封水の水位が高くなり、跳ね返った汚水が便器使用者の臀部に付着するおそれがある。
上記サイホンジェット式水洗便器によれば、排便時には封水の水位をトラップ排水路の堰部よりも下方のレベルに抑制して跳ね返った汚水の臀部への付着を防止することができ、第２洗浄水吐出口からの洗浄水吐出の開始時には、先行する第１洗浄水吐出口からの洗浄水吐出によって封水の水位をトラップ排水路の堰部まで上昇させて、多量の封水を存在させることができる。
【０００３】
【発明が解決しようとする課題】
特開平３−９０７４６号のサイホンジェット式水洗便器においては、封水の水位制御をするために、第１洗浄水吐出口、第２洗浄水吐出口からの洗浄水吐出時間を精密に制御し、洗浄水の吐出量を精密に制御する必要があった。更に、給水源の水圧が不安定な場合には、洗浄水吐出時間を精密に制御しても洗浄水の吐出量を精密に制御するこはできないので、封水の水位は安定しなかった。
本発明は上記問題に鑑みてなされたものであり、洗浄水吐出量の精密な制御を行うこと無く、封水の水位制御を行うことができ且つ安定した封水の水位を実現することができるサイホンジェット式水洗便器を提供することを目的とする。
【０００４】
【課題を解決するための手段】
本発明においては、上記課題を解決するために、環状のリム部と、リム部の下方に配設されたボウル部と、ボウル部に連通するトラップ排水路とを備え、リム部にボウル部へ差し向けられた第１洗浄水吐出口が形成され、ボウル部の底部にトラップ排水路へ差し向けられた第２洗浄水吐出口が形成され、トラップ排水路の堰部より上流域と堰部より下流域とが微小断面積のバイパス流路を介して連通していることを特徴とするサイホンジェット式水洗便器を提供する。
【０００５】
本発明に係るサイホンジェット式水洗便器においては、排便時には封水の水位がバイパス流路の入口レベルに抑制され、跳ね返った汚水の臀部への付着が防止される。
第１洗浄水吐出口から洗浄水が吐出され、封水の水位が上昇する。バイパス流路を通って、トラップ排水路の堰部より下流域へ封水が流出するが、バイパス流路の断面積は微小なので、流出する封水の流量は第１洗浄水吐出口から吐出する洗浄水の流量よりも遙に少ない。この結果、封水の水位はトラップ排水路の堰部のレベルまで上昇する。
第２洗浄水吐出口から洗浄水が吐出する。第２洗浄水吐出口からの洗浄水の吐出開始時には、多量の封水が存在するので、サイホン作用が所定時間継続し、ボウル部から汚物が確実に排出される。
第１洗浄水吐出口から洗浄水が吐出され、空になったボウル部に封水が形成される。封水の水位は一時的にトラップ排水路の堰部まで上昇するが、バイパス流路の入口より上方の封水は、バイパス流路を通ってトラップ排水路の堰部より下流域へ排出されるので、所定時間経過後には、封水の水位はバイパス流路の入口レベルに抑制される。
本発明に係るサイホンジェット式水洗便器においては、洗浄水の吐出量に多少のばらつきがあっても、便器洗浄後所定時間が経過すれば、封水の水位はバイパス流路の入口レベルになるので、洗浄水吐出量の精密な制御を行うこと無く、封水の水位制御を行うことができ且つ安定した封水の水位を実現することができる。
【０００６】
本発明の好ましい態様においては、トラップ排水路の屈曲部に堰壁が立設され、堰壁の頂部がトラップ排水路の堰部を形成し、堰壁に形成された小径穴がバイパス流路を形成する。
本発明の好ましい態様においては、トラップ排水路の屈曲部に堰壁が立設され、堰壁の頂部がトラップ排水路の堰部を形成し、堰壁に形成されたスリットがバイパス流路を形成する。
本発明の好ましい態様においては、トラップ排水路の屈曲部の頂部が堰部を形成し、一端がトラップ排水路の堰部より上流域に連通し、他端がトラップ排水路の堰部より下流域に連通する小径パイプがバイパス流路を形成する。
本発明の好ましい態様においては、トラップ排水路の屈曲部の頂部が堰部を形成し、トラップ排水路の屈曲部に形成されたスリットがバイパス流路を形成する。
バイパス流路の態様として、上記４つの態様が考えられる。
【０００７】
【発明の実施の形態】
本発明の第１実施例を説明する。
図１に示すように、サイホンジェット式水洗便器１は、ボウル部２と、一端がボウル部２の底部に連通するトラップ排水路３と、ボウル部２の上端周縁に配設された環状のリム通水路４と、ボウル部２の後方に配設された機器収納箱５とを備えている。リム通水路４の底壁には、周方向に間隔を隔てて、多数の貫通穴４ａが形成されている。ボウル部２の底部にトラップ排水路３へ差し向けられた貫通穴２ａが形成されている。トラップ排水路３の他端は図示しない排水管に接続している。
【０００８】
トラップ排水路３の屈曲部３ａに、傾斜した堰壁３ｂが立設されている。堰壁３ｂはトラップ排水路３と一体形成されている。堰壁３ｂの基部に小径穴３ｃが形成されている。堰壁３ｂの頂部がトラップ排水路３の堰部を形成する。小径穴３ｃが、トラップ排水路３の堰部より上流域と堰部より下流域とを連通させる微小断面積のバイパス流路を形成する。
【０００９】
図示しない水道配管に接続された給水管６が機器収納箱５内へ延びている。給水管６から枝管６ａ、６ｂが分岐している。枝管６ａに電磁ソレノイドにより駆動される止水弁７ａが接続され、枝管６ｂに電磁ソレノイドにより駆動される止水弁７ｂが接続されている。
止水弁７ａから延びる配管８ａが、リム通水路４に接続している。止水弁７ｂから延びる配管８ｂが、大気開放弁９を介して、貫通穴２ａに接続している。
止水弁７ａ、７ｂの作動を制御する制御装置１０が機器収納箱５内に配設されている。制御装置１０に洗浄開始信号を送る操作部１１が配設されている。
【００１０】
本実施例に係るサイホンジェット式水洗便器１の作動を説明する。
排便時には、サイホンジェット式水洗便器１の封水Ｗの水位は、小径穴３ｃの入口のレベルに維持されている。封水Ｗの水面と便器使用者の臀部との間には適正な垂直距離があるので、排便時に跳ね返った汚水が便器使用者の臀部に付着するおそれは無い。
【００１１】
排便後に使用者が操作部１１を手動操作すると、制御装置１０から指令を受けて止水弁７ａが開き、洗浄水が配管８ａを通ってリム通水路４へ流入し、貫通穴４ａを通ってボウル部２へ吐出する。ボウル部２へ吐出した洗浄水は、ボウル部２の壁面を洗浄すると共に、封水Ｗの水位を上昇させる。小径穴３ｃを通ってトラップ排水路３の堰部より下流域へ封水Ｗが流出するが、小径穴３ｃが形成するバイパス流路の断面積は微小なので、小径穴３ｃを通って流出する封水Ｗの流量はリム通水路４の貫通穴４ａから吐出する洗浄水の流量よりも遙に少ない。この結果、封水Ｗの水位は、トラップ排水路３の堰部である堰壁３ｂの頂部のレベルまで上昇する。制御装置１０から指令を受けて止水弁７ａは所定時間経過後に閉じる。
【００１２】
制御装置１０から指令を受けて止水弁７ｂが開き、洗浄水が配管８ｂと貫通穴２ａとを通ってボウル部２の底部からトラップ排水路３へ向けて吐出する。貫通穴２ａから吐出した洗浄水により、トラップ排水路３が満杯となり、サイホン作用が引き起こされる。貫通穴２ａからの洗浄水の吐出開始時には、多量の封水Ｗが存在するので、サイホン作用が所定時間継続し、ボウル部２から汚物が確実に排出される。制御装置１０から指令を受けて止水弁７ｂは所定時間経過後に閉じる。
【００１３】
制御装置１０から指令を受けて止水弁７ａが開き、洗浄水が配管８ａを通ってリム通水路４へ流入し、貫通穴４ａを通ってボウル部２へ吐出する。ボウル部２へ吐出した洗浄水は、空になったボウル部２に封水Ｗを形成する。封水Ｗの水位は一時的にトラップ排水路３の堰部である堰壁３ｂの頂部まで上昇するが、小径穴３ｃより上方の封水Ｗは、小径穴３ｃを通ってトラップ排水路３の堰部より下流域へ排出されるので、所定時間経過後には、封水Ｗの水位は小径穴３ｃの入口のレベルに抑制される。
【００１４】
上記説明から分かるように、本発明に係るサイホンジェット式水洗便器１においては、便器洗浄後所定時間が経過すれば、封水Ｗの水位は小径穴３ｃの入口レベルになるので、洗浄水吐出量の精密な制御を行うこと無く、封水Ｗの水位制御を行うことができ且つ安定した封水Ｗの水位を実現することができる。
【００１５】
以上本発明の実施例を説明したが、本発明は上記実施例に限定されない。
図２に示すように、堰壁３ｂにスリット３ｄを形成しても良い。この場合にも、排便時の封水Ｗの水位は、スリット３ｄの底部のレベルに維持されるので、跳ね返った汚水が便器使用者の臀部に付着するおそれは無い。スリット３ｄが形成するパイパス流路の断面積は微小なので、貫通穴２ａからの洗浄水の吐出開始時には、封水Ｗの水位はトラップ排水路３の堰部である堰壁３ｂの頂部まで上昇しており、多量の封水Ｗが存在しているので、サイホン作用が所定時間継続し、ボウル部２から汚物が確実に排出される。図１の実施例と同様に、洗浄水吐出量の精密な制御を行うこと無く、封水Ｗの水位制御を行うことができ且つ安定した封水Ｗの水位を実現することができる。
【００１６】
図３に示すように、トラップ排水路３の屈曲部３ａの頂部を堰部とし、一端がトラップ排水路３の堰部より上流域に連通し、他端がトラップ排水路３の堰部より下流域に連通する小径パイプ３ｅを配設しても良い。この場合にも、排便時の封水Ｗの水位は、小径パイプ３ｅの入口のレベルに維持されるので、跳ね返った汚水が便器使用者の臀部に付着するおそれは無い。小径パイプ３ｅが形成するバイパス流路の断面積は微小なので、貫通穴２ａからの洗浄水の吐出開始時には、封水Ｗの水位はトラップ排水路３の堰部である屈曲部３ａの頂部まで上昇しており、多量の封水Ｗが存在しているので、サイホン作用が所定時間継続し、ボウル部２から汚物が確実に排出される。図１の実施例と同様に、洗浄水吐出量の精密な制御を行うこと無く、封水Ｗの水位制御を行うことができ且つ安定した封水Ｗの水位を実現することができる。
【００１７】
図４に示すように、トラップ排水路３の屈曲部３ａの頂部を堰部とし、屈曲部３ａにスリット３ｆを形成しても良い。この場合にも、排便時の封水Ｗの水位は、スリット３ｆの底部のレベルに維持されるので、跳ね返った汚水が便器使用者の臀部に付着するおそれは無い。スリット３ｆが形成するパイパス流路の断面積は微小なので、貫通穴２ａからの洗浄水の吐出開始時には、封水Ｗの水位はトラップ排水路３の堰部である屈曲部３ａの頂部まで上昇しており、多量の封水Ｗが存在しているので、サイホン作用が所定時間継続し、ボウル部２から汚物が確実に排出される。図１の実施例と同様に、洗浄水吐出量の精密な制御を行うこと無く、封水Ｗの水位制御を行うことができ且つ安定した封水水位を実現することができる。
【００１８】
図５に示すように、給水管６の途上にフラッシュバルブ１２を配設し、給水管６の下流端をドラム式、ディスク式等の適宜の形式の流路切替弁１３に接続し、流路切替弁１３の一方の吐出ポートを配管８ａを介してリム通水路４に接続し、流路切替弁１３の他方の吐出ポートを配管８ｂと大気開放弁９とを介して貫通穴２ａに接続しても良い。この場合には、開弁後自動閉止するフラッシュバルブ１２の作動に同期させて流路切替弁１３を作動させ、リム通水路４→ボウル２の貫通穴２ａ→リム通水路４の順に洗浄水を供給する。
【００１９】
【発明の効果】
上記説明から分かるように、本発明に係るサイホンジェット式水洗便器においては、洗浄水吐出量の精密な制御を行うこと無く、封水の水位制御を行うことができ且つ安定した封水水位を実現することができる。
【図面の簡単な説明】
【図１】本発明の実施例に係るサイホンジェット式水洗便器の構成図である。（ａ）は側断面図であり、（ｂ）は（ａ）のｂ−ｂ矢視図である。
【図２】本発明の他の実施例に係るサイホンジェット式水洗便器の構成図である。（ａ）は側断面図であり、（ｂ）は（ａ）のｂ−ｂ矢視図である。
【図３】本発明の他の実施例に係るサイホンジェット式水洗便器の構成図である。（ａ）は側断面図であり、（ｂ）は（ａ）のｂ−ｂ矢視図である。
【図４】本発明の他の実施例に係るサイホンジェット式水洗便器の構成図である。（ａ）は側断面図であり、（ｂ）は（ａ）のｂ−ｂ矢視図である。
【図５】本発明の他の実施例に係るサイホンジェット式水洗便器の側断面図である。
【符号の説明】
１  サイホンジェット式水洗便器
２  ボウル部
２ａ  ボウル部の貫通穴
３  トラップ排水路
３ａ  屈曲部
３ｂ  堰壁
３ｃ  小径穴
３ｄ、３ｆ  スリット
３ｅ  小径パイプ
４  リム通水路
４ａ  リム通水路の貫通穴
７ａ、７ｂ  止水弁
１２  フラッシュバルブ
１３  流路切替弁
【図１】
0003630292.tif 000002
【図２】
0003630292.tif 000003
【図３】
0003630292.tif 000004
【図４】
0003630292.tif 000005
【図５】
0003630292.tif 000006